【手続補正書】
【提出日】平成18年2月24日(2006.2.24)
【手続補正１】
【補正対象書類名】明細書
【補正対象項目名】発明の名称
【補正方法】変更
【補正の内容】
【発明の名称】通信装置及び通信方法
【手続補正２】
【補正対象書類名】明細書
【補正対象項目名】特許請求の範囲
【補正方法】変更
【補正の内容】
【特許請求の範囲】
【請求項１】
受信信号より通信相手との伝搬環境を推定する伝搬推定手段と、
推定した前記伝搬環境を示す伝搬情報を符号化する符号化手段と、
を具備することを特徴とする通信装置。
【請求項２】
前記符号化手段は、前記符号化として前記伝搬情報をベクトル量子化することを特徴とする請求項１記載の通信装置。
【請求項３】
前記符号化手段は、量子化ベクトルと暗号鍵とを対応させたテーブルを有するとともに、前記ベクトル量子化により求めた量子化ベクトルを用いて前記テーブルを参照することにより選択した暗号鍵を出力することを特徴とする請求項２記載の通信装置。
【請求項４】
受信信号を復調して復調信号を生成する復調手段と、
前記復調信号を暗号鍵により復号する復号手段とを具備し、
前記符号化手段は、前記符号化により前記通信相手と共通の前記暗号鍵を生成することを特徴とする請求項１記載の通信装置。
【請求項５】
前記伝搬推定手段は、受信信号より遅延プロファイルを求めることにより前記伝搬環境を推定し、
前記暗号鍵生成手段は、量子化ベクトルと暗号鍵とを対応させたコードブックを有するとともに、求めた前記遅延プロファイルの量子化ベクトルを用いて前記コードブックを参照することにより前記暗号鍵を選択することを特徴とする請求項４記載の通信装置。
【請求項６】
前記伝搬推定手段は、前記コードブックに格納されている量子化ベクトルの内容に基準信号系列と受信信号系列との自己相関関数を畳み込むとともに、前記自己相関関数を畳み込んだ前記量子化ベクトルを用いて前記コードブックを参照することにより前記暗号鍵を選択することを特徴とする請求項５記載の通信装置。
【請求項７】
前記伝搬推定手段は、受信信号より一次遅延プロファイルを求めるとともに、求めた前記一次遅延プロファイルから自己相関関数成分を除去した二次遅延プロファイルを求めることにより前記伝搬環境を推定することを特徴とする請求項５または請求項６記載の通信装置。
【請求項８】
上位層の指示により前記復調信号を前記暗号鍵で復号する場合と前記復調信号を前記暗号鍵を用いずに復号する場合とを切り換える通信制御手段を具備することを特徴とする請求項５から請求項７のいずれかに記載の通信装置。
【請求項９】
前記伝搬推定手段は、前記通信相手との伝搬環境として受信信号の到来方向を推定し、
前記暗号鍵生成手段は、推定した前記到来方向に基づいて前記通信相手と共通の暗号鍵を生成することを特徴とする請求項５記載の通信装置。
【請求項１０】
前記暗号鍵生成手段で生成した前記暗号鍵と同一の暗号鍵を前記通信相手にて生成するための送信重み付け係数を求める係数算出手段と、
求めた前記送信重み付け係数を通信情報に対して乗算する重み付け手段と、
前記重み付け手段で前記送信重み付け係数を乗算した前記通信情報を送信する送信手段と、
を具備することを特徴とする請求項５記載の通信装置。
【請求項１１】
垂直偏波受信信号と水平偏波受信信号との位相差を検出する位相差検出手段と、
前記垂直偏波受信信号と前記水平偏波受信信号の各々の電界強度を検出する電界強度検出手段とを具備し、
前記伝搬推定手段は、検出した前記位相差と前記電界強度とに基づいて前記伝搬環境である偏波状態を推定し、
前記暗号鍵生成手段は、推定した前記偏波状態に基づいて通信相手と共通の前記暗号鍵である偏波コードを生成し、
前記係数算出手段は、生成した前記偏波コードに対応する前記送信重み付け係数を算出することを特徴とする請求項１０記載の通信装置。
【請求項１２】
前記偏波制御手段は、偏波コードと送信重み付け係数とを関係付けたコードブックを記憶するとともに、前記暗号鍵生成手段で生成した前記偏波コードを用いて前記コードブックを参照して前記送信重み付け係数を算出することを特徴とする請求項１１記載の通信装置。
【請求項１３】
前記暗号鍵を生成するための信号を任意のタイミングで複数回数受信する受信手段と、
前記受信手段で前記暗号鍵を生成するための信号を受信した場合に前記通信相手にて前記暗号鍵を生成するための基準信号を送信する送信手段とを具備し、
前記伝搬推定手段は、前記受信手段で前記暗号鍵を生成するための信号を受信する毎に前記通信相手との伝搬環境を推定し、
前記暗号鍵生成手段は、前記伝搬推定手段で伝搬環境を推定する毎に推定した前記伝搬環境に基づいて前記暗号鍵を生成することを特徴とする請求項５から請求項１２のいずれかに記載の通信装置。
【請求項１４】
前記暗号鍵生成手段で生成した暗号鍵で送信データを暗号化する暗号化手段と、
前記暗号化手段で暗号化した前記送信データを直交周波数分割多重する直交周波数分割多重手段と、
を具備することを特徴とする請求項５から請求項１３のいずれかに記載の通信装置。
【請求項１５】
受信信号より通信相手との伝搬環境を推定するステップと、
推定した前記伝搬環境に基づいて前記通信相手と共通の暗号鍵を生成するステップと、
受信信号を復調して復調信号を生成するステップと、
生成した前記復調信号を前記暗号鍵で復号することにより前記通信相手から送信されたデータを取得するステップと、
を具備することを特徴とする通信方法。
【手続補正３】
【補正対象書類名】明細書
【補正対象項目名】０００７
【補正方法】変更
【補正の内容】
【０００７】
本発明はかかる点に鑑みてなされたものであり、大きな通信システムの変更をすることなしに高いセキュリティを確保することができる通信装置及び通信方法を提供することを目的とする。
【手続補正４】
【補正対象書類名】明細書
【補正対象項目名】０００８
【補正方法】変更
【補正の内容】
【０００８】
【課題を解決するための手段】
本発明の通信装置は、受信信号より通信相手との伝搬環境を推定する伝搬推定手段と、推定した前記伝搬環境を示す伝搬情報を符号化する符号化手段と、を具備する構成を採る。
【手続補正５】
【補正対象書類名】明細書
【補正対象項目名】０００９
【補正方法】変更
【補正の内容】
【０００９】
本発明の通信方法は、受信信号より通信相手との伝搬環境を推定するステップと、推定した前記伝搬環境に基づいて前記通信相手と共通の暗号鍵を生成するステップと、受信信号を復調して復調信号を生成するステップと、生成した前記復調信号を前記暗号鍵で復号することにより前記通信相手から送信されたデータを取得するステップと、を具備するようにした。
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】削除
【補正の内容】
【手続補正１１】
【補正対象書類名】明細書
【補正対象項目名】００１５
【補正方法】削除
【補正の内容】
【手続補正１２】
【補正対象書類名】明細書
【補正対象項目名】００１６
【補正方法】削除
【補正の内容】
【手続補正１３】
【補正対象書類名】明細書
【補正対象項目名】００１７
【補正方法】削除
【補正の内容】
【手続補正１４】
【補正対象書類名】明細書
【補正対象項目名】００１８
【補正方法】削除
【補正の内容】
【手続補正１５】
【補正対象書類名】明細書
【補正対象項目名】００１９
【補正方法】削除
【補正の内容】
【手続補正１６】
【補正対象書類名】明細書
【補正対象項目名】００２０
【補正方法】削除
【補正の内容】
【手続補正１７】
【補正対象書類名】明細書
【補正対象項目名】００２１
【補正方法】削除
【補正の内容】
【手続補正１８】
【補正対象書類名】明細書
【補正対象項目名】００２２
【補正方法】削除
【補正の内容】
【手続補正１９】
【補正対象書類名】明細書
【補正対象項目名】００２３
【補正方法】削除
【補正の内容】
【手続補正２０】
【補正対象書類名】明細書
【補正対象項目名】００２４
【補正方法】削除
【補正の内容】
【手続補正２１】
【補正対象書類名】明細書
【補正対象項目名】００２５
【補正方法】削除
【補正の内容】
【手続補正２２】
【補正対象書類名】明細書
【補正対象項目名】００２６
【補正方法】削除
【補正の内容】
【手続補正２３】
【補正対象書類名】明細書
【補正対象項目名】００２７
【補正方法】削除
【補正の内容】
【手続補正２４】
【補正対象書類名】明細書
【補正対象項目名】００２８
【補正方法】削除
【補正の内容】
【手続補正２５】
【補正対象書類名】明細書
【補正対象項目名】００２９
【補正方法】削除
【補正の内容】
【手続補正２６】
【補正対象書類名】明細書
【補正対象項目名】００３０
【補正方法】削除
【補正の内容】
【手続補正２７】
【補正対象書類名】明細書
【補正対象項目名】００３１
【補正方法】削除
【補正の内容】